(57)【要約】【課題】デジタルカメラ等の大きなサイズの画像をアップロードする場合に、長い時間を要することがあった。それと同様にサーバにある画像をダウンロードするときにはすべての画像をダウンロードするのに長い時間がかかるそのため、ユーザは画像のダウンロードが完了するまで待たなければならなかった【解決手段】  少なくとも２つに分割された表示画面を備え、前記表示画面の第１部位には少なくとも一つの画像を含むアルバムを含むアルバム部を、第２部位には前記アルバムに含まれる前記画像を配置する画像配置部を備え、前記アルバム部の一つを選択し、選択されたアルバム内の画像データを前記画像配置部に表示し、前記表示画面のサイズを検出し、前記画像配置部に配置される駒数を算出し、算出された駒数の画像データを表示し、あらかじめ定められたルールに従った順番で配列する画像表示装置を提供する。  【選択図】  図１
2008123238.tif 000002
【特許請求の範囲】
【請求項１】
少なくとも２つに分割された表示画面を備え、前記表示画面の第１部位には少なくとも一つの画像を含むアルバムを含むアルバム部を、第２部位には前記アルバムに含まれる前記画像を配置する画像配置部を備え、前記アルバム部の一つを選択する選択手段と、選択されたアルバム内の画像データを前記画像配置部に表示する表示手段と、前記表示画面のサイズを検出する検出手段と、前記画像配置部に配置される駒数を算出する算出手段とを備え、前記算出手段により算出された駒数の画像データを表示し、あらかじめ定められたルールに従った順番で配列して表示することを特徴とする画像表示装置。
【請求項２】
前記算出手段は、前記表示画面内にいくつの駒数が表示されるかを算出する算出手段を備えた請求項１に記載の画像表示装置。
【請求項３】
前記表示手段は、前記算出手段より算出された駒数以上の画像データを表示しないことを特徴とした請求項１に記載の画像表示装置。
【請求項４】
前記画像データは、あらかじめ定められた操作指示アイコンを備え、前記操作指示により次の操作に移ることができることを特徴とする請求項１に記載の画像表示装置。
【請求項５】
前記画像データは、ドラックアンドドロップ操作により、前記選択されたアルバム以外の場所に移動可能にした請求項１に記載の画像表示装置。
【請求項６】
前記選択されたアルバム以外の場所は前記選択されたアルバムと異なるアルバムである請求項５に記載の画像表示装置。
【請求項７】
前記あらかじめ定められたルールは例えば前記アルバムにアップロードされた順番である請求項１に記載の画像表示装置。
【請求項８】
少なくとも２つに分割された表示画面を備え、前記表示画面の第１部位には少なくとも一つの画像を含むアルバムを含むアルバム部を、第２部位には前記アルバムに含まれる前記画像を配置する画像配置部を備え、前記アルバム部の一つを選択する選択ステップと、選択されたアルバム内の画像データを前記画像配置部に表示する表示ステップと、前記表示画面のサイズを検出する検出ステップと、前記画像配置部に配置される駒数を算出する算出ステップとを備え、前記算出ステップにより算出された駒数の画像データを表示するステップと、あらかじめ定められたルールに従った順番で配列して表示するステップを備えた画像表示方法。
【発明の詳細な説明】
【技術分野】
【０００１】
本発明は少なくとも一つの画像を含むアルバムと、該アルバムに含まれた画像を表示する画像表示装置に関し、アルバムに含まれた複数の画像をアップロードして画像表示部に表示する画像表示装置に関する。
【背景技術】
【０００２】
従来、デジタルカメラ等の画像処理装置により撮影された画像を、画像ファイルの保存やプリントサービスの利用の目的で、デジタルカメラやコンピュータに装備された有線あるいは無線の通信手段を介してネットワーク上のサーバ装置にアップロードする技術が提案されている。例えば、従来提案されている画像送信システムでは、クライアントコンピュータから画像保管サーバや画像プリントサーバに画像をアップロードする方法が開示されている（
例えば、特許文献１ 参照） 。
【０００３】
【特許文献１】特開２００２−２２９９０１号公報
【発明の開示】
【発明が解決しようとする課題】
【０００４】
以上に述べた例の従来例では、デジタルカメラ等の画像処理装置で作成される画像ファイルのファイルサイズは、例えば１ファイルあたり数百ＫＢｙｔｅから数ＭＢｙｔｅのサイズになる。そのために従来例では数ＭＢｙｔｅのサイズのものは縮小などリサイズしてデジタルカメラからネットワーク上のサーバに対し複数枚の画像をまとめてアップロードしなくてはならなかった。またそのような大きなサイズの画像など多いとアップロードする場合には、長い時間を要することがあった。それと同様にサーバにある画像をダウンロードするときにはすべての画像をするのに長い時間がかかるそのため、ユーザは画像のダウンロードが完了するまで待たなければならなかった。特に、電子アルバムのように他人の画像を閲覧する際には、他人の画像の容量が分からず、アルバムの画像をすべてダウンロードすることは時間がかかり、どのくらい時間がかかるか予想さえもできずにおり、また、それにより電子アルバムサーバのネットワーク処理が増大し、ユーザー全体の動作が遅くなってしまい電子アルバムとしての価値が損なわれることがあった。画像処理を行う画面に表示されている画像データの数が分かれば、当座の画像処理ができるもので必ずしもすべての画像がダウンロードされる必要はない。特に本発明のように電子アルバムのようにアルバムも数多くあり、アルバムにも数多くの画像データがある場合は、ダウンロードすることに時間を費やすことは効率が悪く、画像データを適時に次の処理にまわすことが必要である。
【課題を解決するための手段】
【０００５】
本発明の請求項１は、少なくとも２つに分割された表示画面を備え、前記表示画面の第１部位には少なくとも一つの画像を含むアルバムを含むアルバム部を、第２部位には前記アルバムに含まれる前記画像を配置する画像配置部を備え、前記アルバム部の一つを選択する選択手段と、選択されたアルバム内の画像データを前記画像配置部に表示する表示手段と、前記表示画面のサイズを検出する検出手段と、前記画像配置部に配置される駒数を算出する算出手段とを備え、前記算出手段により算出された駒数の画像データを表示し、あらかじめ定められたルールに従った順番で配列して表示することを特徴とする画像表示装置を提供するものである。
【０００６】
請求項２は請求項１に従属し、前前記算出手段は、前記表示画面内にいくつの駒数が表示されるかを算出する算出手段を備えた請求項１に記載の画像表示装置を提供するものである。
【０００７】
請求項３は請求項１に従属し、前記表示手段は、前記算出手段より算出された駒数以上の画像データを表示しないことを特徴とした請求項１に記載の画像表示装置するものである。
【０００８】
請求項４は請求項１に従属し、前記画像データは、あらかじめ定められた操作指示アイコンを備え、前記操作指示により次の操作に移ることができることを特徴とする請求項１に記載の画像表示装置を提供するものである。
【０００９】
請求項５は請求項１に従属し、前記画像データはドラックアンドドロップ操作により、前記選択されたアルバム以外の場所に移動可能にした請求項１に記載の画像表示装置を提供するものである。
【００１０】
請求項６は請求項１に従属し、前記選択されたアルバム以外の場所は前記選択されたアルバムと異なるアルバムである請求項５に記載の画像表示装置を提供するものである。
【００１１】
請求項７は請求項１に従属し、前記あらかじめ定められたルールは例えば前記アルバムにアップロードされた順番である請求項１に記載の画像表示装置を提供するものである。
【００１２】
少なくとも２つに分割された表示画面を備え、前記表示画面の第１部位には少なくとも一つの画像を含むアルバムを含むアルバム部を、第２部位には前記アルバムに含まれる前記画像を配置する画像配置部を備え、前記アルバム部の一つを選択する選択ステップと、選択されたアルバム内の画像データを前記画像配置部に表示する表示ステップと、前記表示画面のサイズを検出する検出ステップと、前記画像配置部に配置される駒数を算出する算出ステップとを備え、前記算出ステップにより算出された駒数の画像データを表示するステップと、あらかじめ定められたルールに従った順番で配列して表示するステップを備えた画像表示方法を提供するものである。
【発明の効果】
【００１３】
上述したように本発明は、アルバムに含まれた画像を画像配置部にダウンロードする際にすべての画像をダウンロードしなくてもダウンロードされた画像に対して処理を加えることができ、しかも表示可能な画面のサイズに適合した画像の駒数に応じた分だけ表示するので無駄な時間をできるだけ減らしているので、特に多くのアルバムの画像を操作する人にとってダウンロードされるのを待つようなストレスを最小限に抑えることができる。また、ダウンロードされた画像を元のアルバム以外のアルバムにも収容できるので、例えば好みの画像をドラックアンドドロップして好きな画像だけのアルバムを作ることができる。さらに前記アルバムにダウンロードされて順番、または逆の順番に配列されているのでもっと最近にアルバムにダウンロードした画像がどの画像かを即座に知ることができる。
【発明を実施するための最良の形態】
【００１４】
図１は本発明のブロック図を示し、本システムをつかさどる制御部を１としている。なお、前記制御部はハードディスク等を有している。前記画像データを表示させる表示部２と、サーバとのデータ送受信を送受信部３と、前記制御部のカーソル等の操作部を４とする。なお、ネットワークに繋がれているサーバを外部記憶部５としている。
【００１５】
図２は、本画像表示装置における前述の制御部１の動作を示すフローチャートである。まず、操作部４がアルバムを選択した場合を説明する、本ユーザーインターフェイス表示装置では、Ｓ１で図１のサーバ５から画像データを受信し、Ｓ２で図１の３の送受信部から画像データを図１の１の記憶部に伝達を行う。Ｓ３で図１の表示部２に、第１部位のアルバム部、第２部位に画像配置部を表示する、なお、初期表示段階で一つのアルバム部を選択している状態でもよい。Ｓ４で図１の操作部４を操作し、前記制御部１は、Ｓ５でカーソルが第１部位の少なくとも一つのアルバムを選択すると、Ｓ６で前記表示画面のサイズを検出し、Ｓ７で前記画像配置部に配置される駒数を算出し、Ｓ８で示されているように前記表示部２の画像配置部に所定駒数を表示する。
【００１６】
図３は、本画像表示装置における画像データの表示制御作動を示すフローチャートである。まず、Ｓ９で前記アルバム部の少なくとも一つのアルバムを選択し、Ｓ１０で図１の送受信部３においてサーバに画像データをリクエスト送信する、Ｓ１１で前記画像配置部に画像データの受信を始める。Ｓ１２で示されているように前記画像配置部に前述したように算出された駒数に達したかを判別し、Ｓ１３は前記枚数に達していれば画像データの受信を止める。前記枚数に達していなければ引き続きリクエストと受信を続ける。受信された前記画像データは操作可能な状態であり操作指示アイコンで拡大表示を行なうや、ドラッグアンドドロップ操作で選択されていないアルバムに移動が可能である。また、画像配置の順番は、部前記アルバムにアップロードされた順番で配置されているのが望ましいがそれのみではない。Ｓ１３で画像データの受信をストップすることにより、電子アルバムサーバ等のネットワーク処理が増大することがなく、ユーザー全体の動作も遅くならない。
【００１７】
図４は、本画像表示装置に係るコンピュータ上の画面を記述している。aはアルバム部を示し、ｂは画像配置部を示し、前述の操作部４のカーソルがaのアルバムを一つ選択すると、ｂ内に一つ以上の画像データが表示される。ｂ内の画像データを操作部４のカーソルでa内の選択されていないアルバムに移動させることもできる。また、aのアルバムはドラッグアンドドロップで移動が可能である。またｃのように、画像保管部を備えるとなおよい。また、表示画面サイズの検出は、例えば、横幅１２０ピクセル、縦幅１２０ピクセルである場合、前記画像データが横１０ピクセル、縦１０ピクセルのサイズであった場合は、横に１０個表示され、１１個目の画像データは２段目から表示され、全部で１００個表示される表示画面である。
【図面の簡単な説明】
【００１８】
【図１】本発明に係るブロック図を示す。
【図２】本発明に係る主要ステップを示す。
【図３】本発明に係る主要ステップを示す。
【図４】本発明に係るコンピュータ上の画面を示す。
【符号の説明】
【００１９】
１・・・・制御部
２・・・・表示部
３・・・・送受信部
４・・・・操作部
５・・・・サーバ
ａ・・・・アルバム部
ｂ・・・・画像配置部
ｃ・・・・画像保管部
【図１】
2008123238.tif 000003
【図２】
2008123238.tif 000004
【図３】
2008123238.tif 000005
【図４】
2008123238.tif 000006